(57)【要約】      （修正有）【課題】体積が小さく、設計が簡単で、且つ複数の中心周波数を自由に変えて作動できる平面アンテナ及び手持ち式装置を提供する。【解決手段】平面アンテナ１３はラジエーター１３１と、この平面アンテナ１３が第１の高周波電流経路及び第１の低周波電流経路で作動できるためのフィルター素子１３３と、この平面アンテナ１３が第２の高周波電流経路及び第２の低周波電流経路で作動できるためのスイッチ１３５とを含む。このスイッチ１３５をオフする場合に、この平面アンテナ１３がこの第１の高周波電流経路に対応する第１の高周波中心周波数及びこの第１の低周波電流経路に対応する第１の低周波中心周波数で作動でき、このスイッチ１３５をオンする場合に、この平面アンテナ１３がこの第２の高周波電流経路に対応する第２の高周波中心周波数及びこの第２の低周波電流経路に対応する第２の低周波中心周波数で作動できる。【選択図】図１
2012244620.tif 000002
【特許請求の範囲】
【請求項１】
第１の接触点及び第２の接触点を含む第１の部分と、第３の接触点、第４の接触点及び第５の接触点を含み、前記第４の接触点が前記第２の接触点に電気的に接続される第２の部分と、第６の接触点を含む第３の部分とを含むラジエーターと、
平面アンテナが第１の高周波電流経路及び第１の低周波電流経路で作動できるように、前記第５の接触点と前記第６の接触点との間に電気的に接続されるフィルター素子と、
前記平面アンテナが第２の高周波電流経路及び第２の低周波電流経路で作動できるように、前記第１の接触点と前記第３の接触点との間に電気的に接続されるスイッチと、を含み、
前記スイッチがオフ状態にある場合に、前記平面アンテナが前記第１の高周波電流経路に対応する第１の高周波中心周波数及び前記第１の低周波電流経路に対応する第１の低周波中心周波数で作動でき、前記スイッチがオン状態にある場合に、前記平面アンテナが前記第２の高周波電流経路に対応する第２の高周波中心周波数及び前記第２の低周波電流経路に対応する第２の低周波中心周波数で作動できる平面アンテナ。
【請求項２】
前記フィルター素子は細長い伝送線及び少なくとも１つの被動素子のうちの１つである請求項１に記載の平面アンテナ。
【請求項３】
前記ラジエーターの前記第１の部分は回路基板に結合されるフィードインポイントをさらに含み、前記ラジエーターの前記第２の部分は前記回路基板の接地端に結合される接地点をさらに含む請求項１に記載の平面アンテナ。
【請求項４】
無線周波数信号が前記直流出力端に導入されることを遮断するように、前記ラジエーターの前記第１の部分の前記フィードインポイントと前記回路基板の直流出力端との間に電気的に接続され、前記スイッチがダイオード素子であり、且つ前記直流出力端が前記ダイオード素子を制御するための直流制御信号を有する無線周波数チョークと、
前記直流制御信号が前記第１の部分の前記第２の接触点により前記第２の部分の前記第４の接触点に導入されることを遮断するように、前記ラジエーターの前記第１の部分の前記第２の接触点から前記ラジエーターの前記第２の部分の前記第４の接触点までに電気的に接続されるための直流抵抗素子と、をさらに含む請求項３に記載の平面アンテナ。
【請求項５】
前記ラジエーターの前記第１の部分は回路基板の接地端に電気的に接続される接地点をさらに含み、前記ラジエーターの前記第２の部分は前記回路基板に電気的に接続されるフィードインポイントをさらに含む請求項１に記載の平面アンテナ。
【請求項６】
無線周波数信号が前記直流出力端に導入されることを遮断するように、前記ラジエーターの前記第２の部分の前記フィードインポイントと前記回路基板の直流出力端との間に電気的に接続され、前記スイッチがダイオード素子であり、且つ前記直流出力端が前記ダイオード素子を制御するための直流制御信号を有する無線周波数チョークと、
前記直流制御信号が前記第２の部分の前記第４の接触点により前記第１の部分の前記第２の接触点に導入されることを遮断するように、前記ラジエーターの前記第１の部分の前記第２の接触点から前記ラジエーターの前記第２の部分の前記第４の接触点までに電気的に接続されるための直流抵抗素子と、をさらに含む請求項５に記載の平面アンテナ。
【請求項７】
クリアランス領域を有する基板と、
前記基板の前記クリアランス領域内に設置され、無線周波数信号を送受信するための平面アンテナであって、第１の接触点及び第２の接触点を含む第１の部分と、第３の接触点、第４の接触点及び第５の接触点を含み、前記第４の接触点が前記第２の接触点に結合される第２の部分と、第６の接触点を含む第３の部分とを含むラジエーターと、
前記平面アンテナが第１の高周波電流経路及び第１の低周波電流経路で作動できるように、前記第５の接触点と前記第６の接触点との間に電気的に接続されるフィルター素子と、
前記平面アンテナが第２の高周波電流経路及び第２の低周波電流経路で作動できるように、前記第１の接触点と前記第３の接触点との間に電気的に接続されるスイッチとを含む平面アンテナと、を含み、
前記スイッチがオフ状態にある場合に、前記平面アンテナが前記第１の高周波電流経路に対応する第１の高周波中心周波数及び前記第１の低周波電流経路に対応する第１の低周波中心周波数で作動でき、前記スイッチがオン状態にある場合に、前記平面アンテナが前記第２の高周波電流経路に対応する第２の高周波中心周波数及び前記第２の低周波電流経路に対応する第２の低周波中心周波数で作動できる手持ち式装置。
【請求項８】
前記フィルター素子は細長い伝送線及び少なくとも１つの被動素子のうちの１つである請求項７に記載の手持ち式装置。
【請求項９】
前記基板は回路基板をさらに含み、前記ラジエーターの前記第１の部分は前記回路基板に電気的に接続されるフィードインポイントをさらに含み、前記ラジエーターの前記第２の部分は前記回路基板の接地端に結合される接地点をさらに含む請求項７に記載の手持ち式装置。
【請求項１０】
前記平面アンテナは、
無線周波数信号が前記直流出力端に導入されることを遮断するように、前記ラジエーターの前記第１の部分の前記フィードインポイントと前記回路基板の直流出力端との間に電気的に接続され、前記スイッチがダイオード素子であり、且つ前記直流出力端が前記ダイオード素子を制御するための直流制御信号を有する無線周波数チョークと、
前記直流制御信号が前記第１の部分の前記第２の接触点により前記第２の部分の前記第４の接触点に導入されることを遮断するように、前記ラジエーターの前記第１の部分の前記第２の接触点から前記ラジエーターの前記第２の部分の前記第４の接触点までに電気的に接続されるための直流抵抗素子と、をさらに含む請求項９に記載の手持ち式装置。
【請求項１１】
前記基板は回路基板をさらに含み、前記ラジエーターの前記第１の部分は回路基板の接地端に結合される接地点をさらに含み、前記ラジエーターの前記第２の部分は前記回路基板に結合されるフィードインポイントをさらに含む請求項７に記載の手持ち式装置。
【請求項１２】
前記平面アンテナは、
無線周波数信号が前記直流出力端に導入されることを遮断するように、前記ラジエーターの前記第２の部分の前記フィードインポイントと前記回路基板の直流出力端との間に電気的に接続され、前記スイッチがダイオード素子であり、且つ前記直流出力端が前記ダイオード素子を制御するための直流制御信号を有する無線周波数チョークと、
前記直流制御信号が前記第２の部分の前記第４の接触点により前記第１の部分の前記第２の接触点に導入されることを遮断するように、前記ラジエーターの前記第１の部分の前記第２の接触点から前記ラジエーターの前記第２の部分の前記第４の接触点までに電気的に接続されるための直流抵抗素子と、をさらに含む請求項１１に記載の手持ち式装置。
【発明の詳細な説明】
【技術分野】
【０００１】
本発明は手持ち式装置及びその平面アンテナに関する。具体的には、本発明の平面アンテナは、平面アンテナが２つの中心周波数で作動できるためのフィルター素子と、平面アンテナが他の２つの中心周波数で作動できるためのスイッチとを有する。
【背景技術】
【０００２】
現代人の無線通信に対する需要がますます増加することに従い、手持ち式装置（例えば、携帯電話、ノートパソコン、タブレットパソコン及び無線ネットワークルーター等の手持ち式装置）もだんだん現代人生活において不可欠なものになっている。現代人の手持ち式装置への信頼を満足させるように、手持ち式装置の関係業者は、皆、手持ち式装置の設計をより人間的に又は人々の要求に対応する方向に向かって発展させ、中でも、多周波作動及び軽量・薄型の外観が現代人に最も期待されている。
【０００３】
手持ち式装置が多周波での作動の機能を持つことを達成するために、近年、関係業者たちは多額の投資をして多周波で作動できるアンテナを開発し、中でも、軽量・薄型の外観を有する平面逆Ｆアンテナ（ｐｌａｎａｒ  ｉｎｖｅｒｔｅｄ−Ｆ  ａｎｔｅｎｎａ；ＰＩＦＡ）が最も注目されている。従来の単周波数逆Ｆ平面アンテナは、共振の電流経路として約１／４波長のラジエーターのみを有し、この単周波数平面逆Ｆアンテナがもっと多くの中心周波数で作動できるためには、その他のパラスティックアンテナ素子（ｐａｒａｓｉｔｉｃ  ａｎｔｅｎｎａ  ｅｌｅｍｅｎｔｓ）及び／又はその他のブランチ（Ｂｒａｎｃｈｅｓ）を追加して複数の電流経路を形成することにより達成する必要がある。換言すれば、一般的な従来のアンテナは、２種以上の信号を送受信したければ、２本以上のラジエーターを有して自身の作動周波数をそれぞれ送受信する必要があるが、大きな空間を占めるとともに、アンテナ自身のクリアランス領域（ｃｌｅａｒａｎｃｅ  ａｒｅａ）も十分に大きくなく、アンテナの送受信品質に影響を与えてしまう。
【０００４】
従来の技術において設計された多周波平面逆Ｆアンテナは、アンテナ素子の追加によってアンテナ素子間に予想外の結合効果が生じ、アンテナの設計上の複雑さが高まるとともに、アンテナ素子の追加によってもアンテナの体積が大きくなって各種の不利が生じる。また、従来の多周波平面逆Ｆアンテナは自由な切り替えによって複数の中心周波数間で作動することができない。
【０００５】
これに鑑みて、体積が小さく、設計が簡単で、且つ複数の中心周波数を自由に変えて作動できる利点を有する平面アンテナを、どのように設計するかは、業界に差し迫った課題である。
【発明の概要】
【発明が解決しようとする課題】
【０００６】
本発明の目的は、体積が小さく、設計が簡単で、且つ複数の中心周波数を自由に変えて作動できる利点を有する平面アンテナを提供することにある。本発明の平面アンテナは１つのラジエーターのみを有するため、その体積が従来の多周波逆Ｆ平面アンテナの体積に対して比較的に小さくなる。なお、本発明の平面アンテナは、複数の中心周波数で作動できるためにその他のパラスティックアンテナ素子及び／又はその他のブランチを追加する必要がないため、平面アンテナの設計上の複雑さも低減できる。
【課題を解決するための手段】
【０００７】
上述した目的を達成するために、本発明はラジエーター、フィルター素子及びスイッチを含む平面アンテナを開示する。このラジエーターは、第１の接触点及び第２の接触点を含む第１の部分と、第３の接触点、第４の接触点及び第５の接触点を含み、この第４の接触点がこの第２の接触点に電気的に接続される第２の部分と、第６の接触点を含む第３の部分とを含む。このフィルター素子は、この平面アンテナが第１の高周波電流経路及び第１の低周波電流経路で作動できるように、この第５の接触点とこの第６の接触点との間に電気的に接続される。このスイッチは、この平面アンテナが第２の高周波電流経路及び第２の低周波電流経路で作動できるように、この第１の接触点とこの第３の接触点との間に電気的に接続される。このスイッチをオフする場合に、この平面アンテナがこの第１の高周波電流経路に対応する第１の高周波中心周波数及びこの第１の低周波電流経路に対応する第１の低周波中心周波数で作動できる。このスイッチをオンする場合に、この平面アンテナがこの第２の高周波電流経路に対応する第２の高周波中心周波数及びこの第２の低周波電流経路に対応する第２の低周波中心周波数で作動できる。
【０００８】
本発明の他の目的は、手持ち式装置及びその平面アンテナを提供することにある。この平面アンテナはこの手持ち式装置の基板のクリアランス領域に設置される。本発明の平面アンテナは、体積が従来の多周波逆Ｆ平面アンテナの体積に対して比較的に小さく、このクリアランス領域内により有効に設置され、且つこのクリアランス領域を完全に利用できるため、手持ち式装置の通信品質を向上できる。これによれば、クリアランス領域の大きさが平面アンテナの体積により減少しない場合に、本発明はクリアランス領域外の電子素子のこの平面アンテナへの影響を低減できるので、手持ち式装置の通信品質を向上できる。一方、クリアランス領域の大きさが平面アンテナの体積により減少する場合に、本発明は手持ち式装置の内部空間の配置に大きい自由度を与え、且つ電子素子のこの平面アンテナへの影響を最低限に低減して手持ち式装置の通信品質を維持できる。
【０００９】
上述した他の目的を達成するために、本発明は、クリアランス領域を有する基板と、クリアランス領域内に設置され、無線周波数信号を送受信するための平面アンテナとを含む手持ち式装置をさらに開示する。この平面アンテナはラジエーター、フィルター素子及びスイッチを含む。このラジエーターは、第１の接触点及び第２の接触点を含む第１の部分と、第３の接触点、第４の接触点及び第５の接触点を含み、この第４の接触点がこの第２の接触点に電気的に接続される第２の部分と、第６の接触点を含む第３の部分とを含む。このフィルター素子は、この平面アンテナが第１の高周波電流経路及び第１の低周波電流経路で作動できるように、この第５の接触点とこの第６の接触点との間に電気的に接続される。このスイッチは、この平面アンテナが第２の高周波電流経路及び第２の低周波電流経路で作動できるように、この第１の接触点とこの第３の接触点との間に電気的に接続される。このスイッチをオフする場合に、この平面アンテナがこの第１の高周波電流経路に対応する第１の高周波中心周波数及びこの第１の低周波電流経路に対応する第１の低周波中心周波数で作動できる。このスイッチをオンする場合に、この平面アンテナがこの第２の高周波電流経路に対応する第２の高周波中心周波数及びこの第２の低周波電流経路に対応する第２の低周波中心周波数で作動できる。
【００１０】
前記の目的、技術特徴、及び効果をよりわかりやすくするように、以下、好適な実施例および図面に基づいて詳しく説明する。
【図面の簡単な説明】
【００１１】
【図１】本発明の第１の実施例の手持ち式装置の模式図である。
【図２】本発明の第１の実施例の平面アンテナの平面図である。
【図３】本発明の第２の実施例の平面アンテナの平面図である。
【図４】本発明の第３の実施例の平面アンテナの平面図である。
【図５】本発明の第４の実施例の平面アンテナの平面図である。
【図６】それぞれ本発明によるフィルター素子およびスイッチ素子を有するアンテナが異なる周波数帯域で作動する電圧定在波比（ＶＳＷＲ）の模式図である。
【図７】それぞれ本発明によるフィルター素子およびスイッチ素子を有するアンテナが異なる周波数帯域で作動する電圧定在波比（ＶＳＷＲ）の模式図である。
【発明を実施するための形態】
【００１２】
本発明は、主に、体積が小さく、設計が簡単で、且つ複数の中心周波数を自由に変えて作動できる利点を有する手持ち式装置及びその平面アンテナに関する。以下、実施例は、例を挙げて本発明の技術内容を説明するためのものであり、本発明の範囲を限定するものではない。なお、説明すべきこととしては、以下の実施例及び図面において、本発明に関係ない素子が既に省略して示されなく、且つ図面における各素子間の寸法関係はただ分かりやすくするためのものであり、実際の割合を限定するものではない。
【００１３】
本発明の第１の実施例を図１及び図２に示す。具体的には、図１は本発明の手持ち式装置１の模式図であり、図２は手持ち式装置１に用いられる平面アンテナ１３の平面図である。
【００１４】
図１に示すように、手持ち式装置１は基板１１及び平面アンテナ１３を含む。注意すべきこととしては、説明を簡単化するために、手持ち式装置１のその他の素子、例えばタッチ表示モジュール、通信モジュール、入力モジュール、電力供給モジュール及び関連する必要な素子はいずれも図に省略され示されていない。基板１１はクリアランス領域１１１及び回路基板１１３を含み、且つ平面アンテナ１３はラジエーター１３１、フィルター素子１３３、スイッチ１３５及び搭載部１３７を含む。基板１１は、一般的に、手持ち式装置１のシステム接地面と見られ、ラジエーター１３１が搭載部１３７の上に配置され、平面アンテナ１３は手持ち式装置１のクリアランス領域１１１内に設置され、無線周波数信号を送受信するためのものである。
【００１５】
さらには、図２に示すように、ラジエーター１３１は第１の部分１３１１、第２の部分１３１３及び第３の部分１３１５を含む。第１の部分１３１１は第１の接触点１３１１ａ及び第２の接触点１３１１ｂを含み、第２の部分１３１３は第３の接触点１３１３ａ、第４の接触点１３１３ｂ及び第５の接触点１３１３ｃを含み、第３の部分１３１５は第６の接触点１３１５ａを含む。本実施例において、第１の部分１３１１の第２の接触点１３１１ｂは第２の部分１３１３の第４の接触点１３１３ｂに直接電気的に接続され、即ち、ラジエーター１３１の第１の部分１３１１が第２の部分１３１３に直接実体的に接続される。
【００１６】
フィルター素子１３３は、平面アンテナ１３が第１の高周波電流経路及び第１の低周波電流経路を有するように、第５の接触点１３１３ｃと第６の接触点１３１５ａとの間に電気的に接続される。具体的には、平面アンテナが第１の周波数帯域作動モードで作動する場合に、フィルター素子１３３によって、第１の高周波電流経路が第３の部分１３１５（即ち、第５の接触点１３１３ｃと第６の接触点１３１５ａとの間が開路に相当する）を含まず、且つ第１の低周波電流経路が第３の部分１３１５（即ち、第５の接触点１３１３ｃと第６の接触点１３１５ａとの間が短絡に相当する）を含むようにさせる。換言すれば、フィルター素子１３３によって、平面アンテナのラジエーター１３１が２つのモードの作動モードを有するようにさせ、即ち、１つの基本周波数及び少なくとも１つの倍増周波数のような２つの主な中心周波数で同時に共振できる。
【００１７】
スイッチ１３５は、平面アンテナ１３が第２の高周波電流経路及び第２の低周波電流経路を有するように、第１の接触点１３１１ａと第３の接触点１３１３ａとの間に電気的に接続される。具体的には、スイッチ１３５をオンする場合に（即ち、第１の接触点１３１１ａと第３の接触点１３１３ａとの間をオンする場合に）、平面アンテナが第２の周波数帯域作動モードで作動し、スイッチ１３５によって、この第２の高周波電流経路が第３の部分１３１５を含むことなく第１の接触点１３１１ａと第３の接触点１３１３ａとの間の導体を含むようにさせ、且つこの第２の低周波電流経路が第１の接触点１３１１ａと第３の接触点１３１３ａとの間の導体を含むとともに第３の部分１３１５を含むようにさせる。これによれば、フィルター素子１３３によって平面アンテナのラジエーター１３１が２つの主な中心周波数で同時に共振できるようにさせるとともに、さらにスイッチ１３５によって平面アンテナのラジエーター１３１が他の２つの主な中心周波数で共振できるようにさせる。説明されるべきことは、スイッチ１３５は機械スイッチ、電子スイッチ又は第１の接触点１３１１ａと第３の接触点１３１３ａの結合を制御できるいずれかの素子でよいことである。
【００１８】
また、手持ち式装置１が平面アンテナ１３により無線周波数信号を送受信するように、ラジエーター１３１の第１の部分１３１１は回路基板１１３の信号端（図示せず）に結合されるフィードインポイント１３１７をさらに含み、且つラジエーター１３１の第２の部分１３１３は回路基板１１３の接地端（図示せず）に結合される接地点１３１９をさらに含む。さらには、スイッチ１３５がオフ状態にある場合に（Ｄｉｏｄｅ  ｏｆｆ）、平面アンテナ１３が第１の周波数帯域作動モードで作動し、即ち、この第１の高周波電流経路に対応する第１の高周波中心周波数及びこの第１の低周波電流経路に対応する第１の低周波中心周波数で作動し、スイッチ１３５がオン状態にある場合に（Ｄｉｏｄｅ  ｏｎ）、平面アンテナ１３が第２の周波数帯域作動モードで作動し、即ち、この第２の高周波電流経路に対応する第２の高周波中心周波数及びこの第２の低周波電流経路に対応する第２の低周波中心周波数で作動する。
【００１９】
図３は本発明の第２の実施例の平面アンテナ１３を示す。本実施例において、フィルター素子１３３はインダクタ及びコンデンサからなる。換言すれば、フィルター素子１３３は少なくとも１つの被動素子からなり、且つラジエーター１３１の第２の部分１３１３の第５の接触点１３１３ｃと第３の部分１３１５の第６の接触点１３１５ａとの間に結合するためのものである。説明されるべきことは、その他の実施例において、フィルター素子１３３は単一のインダクタでよく、細長い伝送線（ｎａｒｒｏｗ  ｔｒａｎｓｍｉｓｓｉｏｎ  ｌｉｎｅ）又はその他の抵抗特性を持つ素子又は素子の組合せに置換されてもよいことである。組合せとは、単一種類の素子又は複数種の素子からなるものを指す。このため、本技術分野において通常知識を持つものは本発明の実施例に記載の技術内容によりフィルター素子１３３を簡単に置換して同様な効果を達成できる。
【００２０】
図４は本発明の第３の実施例の平面アンテナ１３を示す。図４に示すように、平面アンテナ３３のスイッチ１３５はダイオード素子である。ダイオード素子の陽極端はラジエーター１３１の第１の部分１３１１の第１の接触点１３１１ａに結合され、且つダイオード素子の陰極端はラジエーター１３１の第２の部分１３１３の第３の接触点１３１３ａに結合される。
【００２１】
また、平面アンテナ１３は、無線周波数信号が直流出力端に導入されることを遮断するように、ラジエーター１３１の第１の部分１３１１のフィードインポイント１３１７と回路基板１１３の直流出力端との間に結合される無線周波数チョーク１３９をさらに含む。本実施例において、ダイオード素子のオフ又はオンは直流出力端の直流制御信号により制御される。一方、平面アンテナ３３は直流抵抗素子１４１をさらに含む。直流抵抗素子１４１は、この直流制御信号が第１の部分１３１１の第２の接触点１３１１ｂにより第２の部分１３１３の第４の接触点１３１３ｂに導入されることを遮断するように、ラジエーター１３１の第１の部分１３１１の第２の接触点１３１１ｂとラジエーター１３１の第２の部分１３１３の第４の接触点１３１３ｂとの間に結合されるためのコンデンサである。説明されるべきことは、その他の実施形態において、直流抵抗素子１４１はその他の直流の通過を阻止する素子又は素子の組合せでよく、コンデンサに限定されないことである。
【００２２】
さらには、直流出力端の電圧が予定値よりも小さい場合に、ダイオード素子はオンできなく、ラジエーター１３１の第１の部分１３１１の第１の接触点１３１１ａと第２の部分１３１３の第３の接触点１３１３ａとの間が開路に相当する。この時、平面アンテナ３３はこの第１の周波数帯域工作モードで作動する。しかしながら、直流出力端の電圧が予定値よりも大きい場合に、ダイオード素子がオンし、ラジエーター１３１の第１の部分１３１１の第１の接触点１３１１ａと第２の部分１３１３の第３の接触点１３１３ａが電流経路を形成する。この時、平面アンテナ３３がこの第２の周波数帯域工作モードで作動する。
【００２３】
図５は本発明の第４の実施例の平面アンテナ１３を示す。第３の実施例と異なるのは、第４の実施例において、平面アンテナ１３のフィードインポイント１３１７はラジエーター１３１の第２の部分１３１３に位置し、且つ平面アンテナ１３の接地点１３１９はラジエーター１３１の第１の部分１３１１に位置する。平面アンテナ１３のスイッチ１３５もダイオード素子であるが、ダイオード素子の陰極端がラジエーター１３１の第１の部分１３１１の第１の接触点１３１１ａに結合され、且つダイオード素子の陽極端がラジエーター１３１の第２の部分１３１３の第３の接触点１３１３ａに結合される。つまり、本実施例において、フィードインポイント１３１７と接地点１３１９の位置変化に応じて、ダイオード素子が反対の方向で設置される。
【００２４】
同様に、平面アンテナ１３のフィードインポイント１３１７は、無線周波数信号が直流出力端に導入されることを遮断するように、回路基板１１３の直流出力端に結合されるための無線周波数チョーク１３９に結合される。直流出力端はダイオード素子のオフ又はオンを制御するための直流制御信号を有する。一方、直流抵抗素子１４１は、この直流制御信号が第１の部分１３１１の第２の接触点１３１１ｂにより第２の部分１３１３の第４の接触点１３１３ｂに導入されることを遮断するように、ラジエーター１３１の第１の部分１３１１の第２の接触点１３１１ｂからラジエーター１３１１の第２の部分１３１３の第４の接触点１３１３ｂに結合されるためのコンデンサである。
【００２５】
以上に述べたことをまとめれば、本発明の平面アンテナは、フィルター素子１３３によって２つの周波数帯域作動モードでそれぞれ高周波電流経路及び低周波電流経路を生じるとともに、スイッチ１３５によってこの２つの周波数帯域作動モードを自由に選んで切り替え、複数の中心周波数上で作動することによって、異なる周波数帯域又は通信システムの無線周波数信号を送受信する目的を達成する。さらには、図６及び図７はそれぞれ本発明のフィルター素子及びスイッチ素子を有するアンテナが異なる周波数帯域で作動する電圧定在波比（ＶＳＷＲ）を示す模式図である。図６に示すように、スイッチがオフ状態にある場合に（Ｄｉｏｄｅ  ｏｆｆ）、このアンテナが中心周波数８５０ＭＨｚ及び１７７５ＭＨｚで作動でき、スイッチがオン状態にある場合に（Ｄｉｏｄｅ
ｏｎ）、このアンテナが中心周波数９００ＭＨｚ及び２０３５ＭＨｚで作動できる。すると、このアンテナはグローバル・システム・フォー・モバイル・コミュニケーション（Ｇｌｏｂａｌ  Ｓｙｓｔｅｍ  Ｆｏｒ  Ｍｏｂｉｌｅ  Ｃｏｍｍｕｎｉｃａｔｉｏｎ；ＧＳＭ）システムのＧＳＭ８５０とＧＳＭ９００、デジタル通信システム（Ｄｉｇｉｔａｌ  Ｃｏｍｍｕｎｉｃａｔｉｏｎ  Ｓｙｓｔｅｍ；ＤＣＳ）のＤＣＳ１８００、個人通信サービス（Ｐｅｒｓｏｎａｌ  Ｃｏｍｍｕｎｉｃａｔｉｏｎｓ  Ｓｅｒｖｉｃｅｓ；ＰＣＳ）システムのＰＣＳ１９００及びユニバーサル・モバイル・テレコミュニケーション・システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ；ＵＭＴＳ）の周波数帯域を含む。また、図７に示すように、このアンテナも３ＧＰＰロング・ターム・エボリューション（３ＧＰＰ  Ｌｏｎｇ  Ｔｅｒｍ  Ｅｖｏｌｕｔｉｏｎ；３ＧＰＰ  ＬＴＥ）システムに必要なｗｉｄｅｂａｎｄ周波数帯域（例えば、ＬＴＥ、ＧＳＭ、ＣＤＭＡ／ＷＣＤＭＡ）に応用でき、スイッチがオフ状態にある場合に、このアンテナが中心周波数６９８ＭＨｚ及び１７７５ＭＨｚで作動でき、スイッチがオン状態にある場合に、このアンテナが中心周波数７１６ＭＨｚ及び２０３５ＭＨｚで作動できる。これによって、本発明の平面アンテナは場合によって各種の通信システムに応用できる。
【００２６】
具体的には、本発明は１つのラジエーターを利用するだけで、非常に大きい作動可能な帯域幅を提供でき、類似の効果を有する伝統的なアンテナ設計に比べて、本発明はアンテナ体積を約１／３縮小でき、且つより良い送受信品質を有する。また、本発明の平面アンテナは１つのラジエーターのみを有し、その他のパラスティックアンテナ素子及び／又はその他のブランチを追加しないので、従来の多周波逆Ｆ平面アンテナに対して、本発明の平面アンテナは体積が比較的に小さくなるだけではなく、且つ設計の複雑さも比較的に簡単になることによって、平面アンテナがより有効に手持ち式装置のクリアランス領域内に設置され、手持ち式装置のその他の電子素子から平面アンテナの特性への影響を低減する。一方、平面アンテナの大きさに応じてクリアランス領域の大きさを縮減することを考える場合に、手持ち式装置の内部空間の配置はより大きい自由度を持つことができる。
【００２７】
本発明の実施態様及び技術特徴を前記実施例を例として開示したが、これは決して本発明を限定するものではなく、当該分野の技術を熟知しているものであれば、本発明の精神と領域を逸脱しない範囲内で、多様な変更や修正を加えることができる。従って本発明の保護範囲は、特許請求の範囲で指定した内容を基準とする。
【符号の説明】
【００２８】
1  手持ち式装置
１１  基板
１１１  クリアランス領域
１１３  回路基板
１３  平面アンテナ
１３１  ラジエーター
１３１１  ラジエーターの第１の部分
１３１１ａ  第１の接触点
１３１１ｂ  第２の接触点
１３１３  ラジエーターの第２の部分
１３１３ａ  第３の接触点
１３１３ｂ  第４の接触点
１３１３ｃ  第５の接触点
１３１５  ラジエーターの第３の部分
１３１５ａ  第６の接触点
１３１７  フィードインポイント
１３１９  接地点
１３３  フィルター素子
１３５  スイッチ
１３７  搭載部
１３９  無線周波数チョーク
１４１  直流抵抗素子
【図１】
2012244620.tif 000003
【図２】
2012244620.tif 000004
【図３】
2012244620.tif 000005
【図４】
2012244620.tif 000006
【図５】
2012244620.tif 000007
【図６】
2012244620.tif 000008
【図７】
2012244620.tif 000009